(57)【要約】【課題】複数のモジュールを有するメディアアイテムの所有者のためのデジタル保管庫が開示される。【解決手段】アカウント管理モジュールは、複数の所有者のデジタル保管庫と共にアカウントを作成するためのものである。アクセス制御モジュールは、それぞれのアカウントへの所有者セキュアアクセスを提供するためのものである。アクセス制御モジュールはまた、所有者のアカウント内のメディアアイテムへのユーザアクセスをレビューすることを提供する。アップロードモジュールは、所有者がメディアアイテムを所有者のそれぞれのアカウントにアップロードするためのものである。共有モジュールは、所有者がレビューユーザに彼らのメディアアイテムへのアクセスを提供するためのものである。再生モジュールは、レビューユーザが所有者がメディアアイテムにアクセスを与えたデジタル保管庫内のメディアアイテムをストリーミングするためのものである。管理モジュールは、所有者に、アカウント内のメディアアイテムを管理するための様々なオプションを提供する。【選択図】図２
2019101422.tif 000002
【特許請求の範囲】
【請求項１】
メディアアイテム用のデジタル保管庫であって、前記メディアアイテムは、デジタル形式の音楽、ビデオ、およびプレイリストのうちの少なくとも１つからなり、前記デジタル保管庫は、
それぞれがデジタル保管庫と共に有するそれぞれのアカウントへの安全なアクセスを複数の所有者に提供し、前記所有者のアカウントへの不正アクセスを防止するためのアクセス制御モジュールと、
前記メディアアイテムを前記所有者のそれぞれのアカウントにインポートし、各メディアアイテムの受信の前記デジタル保管庫にタイムスタンプを自動的に記録する、前記所有者のためのメディアアイテムインポートモジュールと、
１人以上のレビューユーザを識別し、メディアアイテム毎に割り当てられた前記レビューユーザに対するストリーミング制限を設定する、前記所有者のための共有モジュールと、
前記所有者がアクセスを与えた前記デジタル保管庫内の前記メディアアイテムをストリーミングする、前記レビューユーザのための再生モジュールであって、前記レビューユーザによるストリーミングは、前記共有モジュールにおいて前記所有者によって設定された前記ストリーミング制限に従ってリスニングモジュールによって制限され、前記リスニングモジュールは、各ストリームについて、ストリームを要求する前記レビューユーザの識別子、ストリームの開始のタイムスタンプ、ストリームの停止のタイムスタンプまたはストリームの時間長のいずれかを記録し、前記レビューユーザがストリーム内でジャンプバックまたはジャンプアヘッドを要求する、再生モジュールと、
それぞれの前記レビューユーザおよび許可された前記レビューユーザに対するストリームの総数を識別することを含む、前記レビューユーザによるそれぞれのメディアアイテムのストリームのレポートを前記所有者に報告するための管理モジュールと、
を備え、
前記リスニングモジュールは、使用されるストリーミングプレーヤデバイスのタイプを取得し、
前記共有モジュールは、前記レビューユーザが前記メディアアイテムをストリーミングするために使用することが許可されているストリーミングプレーヤデバイスを選択する音楽所有者のためのものであり、前記リスニングモジュールは、選択された前記ストリーミングプレーヤデバイスのみを使用してストリーミングするように前記レビューユーザを制限する、
デジタル保管庫。
【請求項２】
前記管理モジュールは、さらに、前記所有者のそれぞれのアカウントに格納された前記メディアアイテムのメタデータを追加する、請求項１に記載のデジタル保管庫。
【請求項３】
前記管理モジュールは、使用されるストリーミングプレーヤデバイスのタイプを報告する、請求項１に記載のデジタル保管庫。
【請求項４】
前記再生モジュールは、所与のストリームにおいてジャンプバックまたはジャンプアヘッドするために、レビューユーザ要求に応答する、請求項１に記載のデジタル保管庫。
【請求項５】
前記管理モジュールは、前記ストリームが始まる場合に、１つの再生を定義する、請求項１に記載のデジタル保管庫。
【請求項６】
前記管理モジュールは、前記ストリームが所定の期間継続した場合に、１つの再生をさらに定義する、請求項５に記載のデジタル保管庫。
【請求項７】
前記管理モジュールは、前記メディアアイテムの長さを各メディアアイテムのメタデータとして自動的に作成および格納する、請求項１に記載のデジタル保管庫。
【請求項８】
前記管理モジュールは、前記メディアアイテムの少なくともいくつかのメタデータとして、アルバム名、演奏アーティスト、プロデューサ名、アレンジャー名、音楽作者名、歌詞作者名、ジャンル、サブジャンルのうちの１つまたは複数を格納する、請求項１に記載のデジタル保管庫。
【請求項９】
前記管理モジュールは、前記メディアアイテムの少なくともいくつかについての関連ファイルを格納する、請求項１に記載のデジタル保管庫。
【請求項１０】
前記関連ファイルは、それぞれの歌を含む画像およびビデオを含む、請求項９に記載のデジタル保管庫。
【請求項１１】
公開するために前記所有者のアカウント内の１つ以上の前記メディアアイテムを識別し、識別された前記メディアアイテムを公開チャネルを介してストリーミングさせ、タイムスタンプおよびチャネル識別を含む再生情報を記録する、前記所有者のためのパブリッシングモジュールを含む、請求項１に記載のデジタル保管庫。
【請求項１２】
著作権登録のための音楽所有者のアカウント内の１つ以上の前記メディアアイテムを識別し、識別された前記メディアアイテムについて著作権登録の申請を自動的に提出させる、前記所有者のための著作権登録モジュールを含む、請求項１に記載のデジタル保管庫。
【請求項１３】
前記デジタル保管庫内の前記メディアアイテムと一致するメディアアイテムを前記デジタル保管庫の外部で自動的に検索する侵害追跡モジュールを含む、請求項１に記載のデジタル保管庫。
【請求項１４】
前記共有モジュールは、前記デジタル保管庫内の前記所有者の前記メディアアイテムを聴くように前記レビューユーザに招待するためのリンクまたは認証情報を前記所有者に提供する、請求項１に記載のデジタル保管庫。
【請求項１５】
前記ストリーミング制限は、それぞれの前記レビューユーザによるそれぞれのストリームの最大再生回数を含む、請求項１に記載のデジタル保管庫。
【請求項１６】
複数のレビュアーは、同じメディアアイテムを同時にストリーミングすることができる、請求項１に記載のデジタル保管庫。
【請求項１７】
前記モジュールをソフトウェアとして格納する不揮発性機械可読媒体を含む、請求項１に記載のデジタル保管庫。
【請求項１８】
前記レビューユーザが前記デジタル保管庫に入った正確な時間および日付を記録／追跡し、どの特定のメディアアイテムを聴いたか、および前記音楽所有者が前記デジタル保管庫に保管した特定のメディアアイテムのそれぞれについて、レビューの期間がどのようなものであったかを示すそのアクティビティのタイムスタンプをレビュアーによって提供するアクティビティモジュールをさらに備える請求項１に記載のデジタル保管庫。
【請求項１９】
前記アクティビティモジュールは、レビュアーのＩＰアドレス、匿名または非匿名、または他の識別子を捕捉または受信する、請求項１８に記載のデジタル保管庫。
【請求項２０】
メディアアイテム用のデジタル保管庫であって、前記メディアアイテムは、デジタル形式の音楽、ビデオ、またはプレイリストからなり、前記デジタル保管庫は、
それぞれがデジタル保管庫と共に有するそれぞれのアカウントへの安全なアクセスを複数の所有者に提供し、前記所有者のアカウントへの不正アクセスを防止するためのアクセス制御モジュールと、
前記メディアアイテムを前記所有者のそれぞれのアカウントにインポートし、インポートされたときに、各メディアアイテムの受信の前記デジタル保管庫にタイムスタンプを自動的に記録する、前記所有者のためのインポートモジュールと、
１人以上のレビューユーザを識別し、メディアアイテム毎に割り当てられた前記レビューユーザに対するストリーミング制限を設定する、前記所有者のための共有モジュールと、
前記所有者がアクセスを与えた前記デジタル保管庫内の前記メディアアイテムをストリーミングする、前記レビューユーザのための再生モジュールであって、前記レビューユーザによるストリーミングは、前記共有モジュールにおいて前記所有者によって設定されたストリーミング制限に従って前記再生モジュールによって制限され、前記再生モジュールは、各ストリームについて、ストリームを要求する前記レビューユーザの識別子、ストリームの開始のタイムスタンプ、ストリームの停止のタイムスタンプまたはストリームの時間長のいずれかを記録し、前記レビューユーザがストリーム内でジャンプバックまたはジャンプアヘッドを要求する、前記再生モジュールと、
それぞれの前記レビューユーザおよび許可された前記レビューユーザに対するストリームの総数を識別することを含む、前記レビューユーザによるそれぞれのメディアアイテムのストリームのレポートを前記所有者に報告するための管理モジュールと、
特定のパブリックストリーミングチャネルを公開および識別するために、音楽所有者のアカウント内の１つまたは複数の前記メディアアイテムを識別する、前記所有者のためのパブリックモジュールであって、前記パブリックストリーミングチャネルは、オンラインストリーミングサービスまたは地上ラジオ局またはケーブル音楽のうちの少なくとも１つを含む、パブリックモジュールと、
を備え、
前記パブリックモジュールは、さらに、識別された前記メディアアイテムを、識別された前記パブリックストリーミングチャネルを通じて自動的にストリーミングさせ、識別された前記特定のパブリックストリーミングチャネルを通じてストリーミングするために、識別された前記メディアアイテムの各ストリームについてのタイムスタンプおよびチャネル識別子を自動的に取得させる、
デジタル保管庫。
【請求項２１】
前記管理モジュールは、前記ストリームが始まる場合に、１つの再生を定義する、請求項２０に記載のデジタル保管庫。
【請求項２２】
前記管理モジュールは、前記ストリームが所定の期間継続した場合に、１つの再生をさらに定義する、請求項２１に記載のデジタル保管庫。
【請求項２３】
前記管理モジュールは、前記メディアアイテムの長さを各メディアアイテムのメタデータとして自動的に作成および格納する、請求項２０に記載のデジタル保管庫。
【請求項２４】
前記管理モジュールは、前記メディアアイテムの少なくともいくつかのメタデータとして、アルバム名、演奏アーティスト、プロデューサ名、アレンジャー名、音楽作者名、歌詞作者名、ジャンル、サブジャンルのうちの１つまたは複数を格納する、請求項２０に記載のデジタル保管庫。
【請求項２５】
前記管理モジュールは、前記メディアアイテムの少なくともいくつかについての関連ファイルを格納する、請求項２０に記載のデジタル保管庫。
【請求項２６】
前記関連ファイルは、それぞれの前記メディアアイテムを含む画像およびビデオを含む、請求項２５に記載のデジタル保管庫。
【請求項２７】
著作権登録のための前記所有者のアカウント内の１つ以上の前記メディアアイテムを識別し、識別された前記メディアアイテムに対して前記著作権登録の申請を自動的に提出させる、前記音楽所有者のための著作権登録モジュールを含む、請求項２０に記載のデジタル保管庫。
【請求項２８】
前記デジタル保管庫内の前記メディアアイテムと一致するメディアアイテムを前記デジタル保管庫の外部で自動的に検索する侵害追跡モジュールを含む、請求項２０に記載のデジタル保管庫。
【請求項２９】
前記共有モジュールは、前記デジタル保管庫内のメディアアイテムを聴くように前記レビューユーザに招待するためのリンクまたは認証情報を前記所有者に提供する、請求項２０に記載のデジタル保管庫。
【請求項３０】
前記ストリーミング制限は、それぞれの前記レビューユーザによるそれぞれのストリームの最大再生回数を含む、請求項２０に記載のデジタル保管庫。
【発明の詳細な説明】
【技術分野】
【０００１】
著作権の通知およびトレードドレス
この特許文書の開示の一部は、著作権保護の対象となる資料を含む。この特許文書は、所有者のトレードドレスであるか、またはトレードドレスになり得る事項を示す、および／または説明する。著作権およびトレードドレス所有者は、特許商標庁の特許ファイルまたは記録に現れるように、特許開示の何人かによる複製に対して異議を唱えないが、その他の点ではあらゆる著作権およびトレードドレス権を留保する。
【０００２】
関連出願情報
この特許は、２０１７年２月１３日出願の米国特許第１５，４３０，８７１号の一部継続出願であり、現在は特許第９，８３６，６１９号である。
【０００３】
背景
技術分野
本開示は、デジタル音楽の制御された配信に関する。
【背景技術】
【０００４】
関連技術の説明
多くのサービスは、ミュージシャンおよび娯楽産業にデジタル配信を提供する。これらのサービスの大部分は、ミュージシャンが作品を配信するためのプラットフォームを提供する。それらは、ミュージシャンが楽曲をアップロードし、場合によっては価格を設定することを可能にする。一旦アップロードされると、楽曲は、典型的に、ウェブサイトを介して、誰にも典型的に利用可能である。ミュージシャンは、一般に、一般大衆に対するサービスの利用可能性を促進するためにこれらのサービスに依存し、この種の広範な配信を望む。これらのサービスは、典型的にはダウンロードに関する報告も提供する。
【発明の概要】
【０００５】
複数のモジュールを有するメディアアイテムの所有者のためのデジタル保管庫が開示される。アカウント管理モジュールは、複数の所有者のデジタル保管庫と共にアカウントを作成するためのものである。アクセス制御モジュールは、それぞれのアカウントへの所有者セキュアアクセスを提供するためのものである。アクセス制御モジュールはまた、所有者のアカウント内のメディアアイテムへのユーザアクセスをレビューすることを提供する。アップロードモジュールは、所有者がメディアアイテムを所有者のそれぞれのアカウントにアップロードするためのものである。共有モジュールは、所有者がレビューユーザに彼らのメディアアイテムへのアクセスを提供するためのものである。再生モジュールは、レビューユーザが所有者がメディアアイテムにアクセスを与えたデジタル保管庫内のメディアアイテムをストリーミングするためのものである。管理モジュールは、所有者に、アカウント内のメディアアイテムを管理するための様々なオプションを提供する。
【図面の簡単な説明】
【０００６】
【図１】図１は、デジタル音楽の制御された配信のためのシステムの図である。
【図２】図２は、音楽所有者のためのデジタル保管庫の構成図である。
【図３】図３は、音楽の配信を制御する音楽所有者のフローチャートである。
【図４】図４は、制御された音楽配信を受信するレビューユーザの方法のフローチャートである。
【図５】図５は、コンピューティングデバイスのブロック図である。
【０００７】
この説明を通して、図に現れる要素には３桁の参照符号が割り当てられ、最上位桁は図番号であり、２つの最下位桁は要素に固有である。図に関連して説明されない要素は、同じ最下位桁を有する参照番号を有する前述の要素と同じ特性および機能を有すると仮定することができる。
【発明を実施するための形態】
【０００８】
ここで図１を参照すると、デジタル音楽の制御された配信のためのシステム１００の図が示されている。装置１００は、デジタル保管庫１１０、リポジトリ１１５、２つ以上の制御装置１２５および２つ以上のレビュー装置１３５を含む。ネットワーク１６０は、相互通信のために様々な装置を接続する。ネットワーク１６０は、有線または無線または組み合わせであってもよく、パケット交換および／または回線交換、または組み合わせであってもよく、公衆ＬＡＮおよび私設ＬＡＮおよびＷＡＮを含んでもよく、インターネットを含んでもよく、またはインターネットであってもよい。
【０００９】
デジタル保管庫１１０は、本明細書で説明するデジタル保管庫サービスを提供するハードウェアシステムである。なお、デジタル保管庫１１０のハードウェアの全部または一部を共有する可能性がある。デジタル保管庫１１０のソフトウェアは、単一のコンピュータ、クラウドとして構成され得る一群のコンピュータのうちの１つ以上にあり得る。デジタル保管庫１１０のハードウェアは、１台または複数台のコンピュータであってもよく、単一の場所にあってもよいし、複数の場所に分散されていてもよい。デジタル保管庫サービスは、ハードウェアに組み込まれる、および／またはコンピュータデバイスに含まれ、またはコンピュータデバイスに結合もしくは取り付けられたストレージデバイス内の機械可読記憶媒体を用いて実装され得る。
【００１０】
リポジトリ１１５は、データストレージシステムであり、単一のストレージデバイス、デバイスのアレイ、デバイスの分散、および／またはクラウドストレージであってもよく、単一のロケーション内にあっても、または複数ロケーションに分散されていてもよく、デジタル保管庫１１０に対してローカルまたはリモートであってもよく、これらの組合せであってもよい。リポジトリ１１５は、メディアアイテムデータおよびメタデータを格納することができる。メディアアイテムとは、歌、ビデオ、またはプレイリストなどのストリーミングメディアの単一のユニットを意味する。リポジトリ１１５は、構造化データセットと非構造化データセットの両方を記憶することができる。
【００１１】
歌とは、１０秒〜数時間の通常の速度での再生時間を有するデジタル形式の音楽からなるファイルを意味する。ノーマルスピードとは、デフォルトの再生速度を意味し、すなわち、スピードアップまたはスローダウンせず、前方スキップまたは後方ジャンプへの巻き戻しに早送りを使用しないことを意味する。歌は、例えば、ＭＰ３、ＭＰ４、ＷＡＶ、ＡＡＣ、ＯＧＧ、ＡＩＦＦ、ＷＭＡ、および他の損失性および損失性のないフォーマットを含む、１つまたは複数の周知のフォーマットおよび／または独自のフォーマットで、リポジトリ１１５に格納され得る。
【００１２】
ビデオとは、１０秒〜数時間の通常の速度での再生時間を有するデジタル形式の動画からなるファイルを意味する。
【００１３】
プレイリストは、歌に類似しているが、歌のコンピレーションから形成される。プレイリストでは、個々の楽曲がエフェクト、楽曲間のトランジションが追加され、全く新しい楽曲またはサウンドが既存の楽曲の間に配置されるなどのように、作成者によって変更されてもよい。さらに、デジタル保管庫は、オンザフライでプレイリストの作成および修正を可能にし、生成物を捕捉および記録するＤＪモードを含むことができる。
【００１４】
図１は、３つの同一の制御装置１２５ａ、１２５ｂ、１２５ｎ、および３つの同一のレビュー装置１３５ａ、１３５ｂ、１３５ｎを示す。これは、システム１００が多数のそのような装置をサポートできることを示すことを意図している。さらに、これらの装置は、同一である必要はなく、以下に説明する特定の最小限の構成要素および能力を有するだけでよい。さらに、制御装置１２５およびレビュー装置１３５は、ネットワーク１６０によってサポートされる範囲に地理的に分散されてもよい。
【００１５】
システム１００の一部ではなく、人間のユーザも示されている。所有者１２０は、メディアアイテムを所有するユーザ、すなわち、単にコピーではなく、著作権を所有するユーザ、または著作権所有者に代わって行動する人間のエージェントである。歌の所有者１２０は、歌手および演奏者を含むミュージシャンであってもよい。ビデオの所有者は、プロデューサであってもよい。プレイリストの所有者は、ＤＪであってもよい。
【００１６】
レビューユーザ１３０は、プロデューサ、流通業者、エージェント、ラベル、潜在的な雇用者、他のミュージシャンおよびクリエータ、ファン、メディアの商業的購入者およびプロモータとして働く人々のような、所有者の意図された視聴者である。所有者１２０は、それぞれの制御装置１２５の近傍に示されている。レビューユーザ１３０は、それぞれのレビュー装置１３５に隣接して示されている。それぞれのユーザ１２０、１３０は、それぞれの装置１２５、１３５と対話する。装置１２５、１３５は、単一ユーザであってもよいし、複数のユーザをサポートしてもよい。ユーザは、同期させることができる複数の装置１２５、１３５を使用することができる。所有者１２０は、レビューユーザ１３０であってもよい。
【００１７】
制御装置１２５およびレビュー装置１３５は、所有者１２０がデジタル保管庫１１０と対話するエンドユーザコンピューティングデバイスである。これらのエンドユーザコンピューティングデバイス１２５、１３５は、本明細書で説明する機能および特徴を提供するためのソフトウェアおよび／またはハードウェアを含む。図１に示すように、制御装置１２５は、ラップトップコンピュータであり、レビュー装置１３５は、スマートフォンである。しかし、他の汎用および専用コンピューティングデバイスを使用することもできる。
【００１８】
図２を参照すると、図１のデジタル保管庫１１０であるデジタル保管庫２００の構成図が示されている。デジタル保管庫２００は、いくつかのモジュールを有し、アカウント管理モジュール２１０、アクセス制御モジュール２２０、アップロードモジュール２３０、共有モジュール２４０、再生モジュール２５０および管理モジュール２６０である。デジタル保管庫２００は、それらのメディアアイテムをレビューユーザと共有するために所有者によって使用され得る。デジタル保管庫２００は、パブリッシングモジュール２７０、著作権登録モジュール２８０、および侵害追跡モジュール２９０のうちの１つまたは複数をさらに含むことができる。本明細書で説明されるプロセスおよび装置を達成するために、ソフトウェア、ハードウェア、およびデータ構造の追加のモジュールまたはより少ないモジュールまたは他の構成を使用することができる。
【００１９】
モジュール２１０、２２０、２３０、２４０、２５０、２６０、２７０、２８０、２９０の各々は、それぞれの機能を有する。アカウント管理モジュール２１０は、複数所有者のデジタル保管庫と共にアカウントを作成するためのものである。アクセス制御モジュール２２０は、それぞれのアカウントへの安全なアクセスを所有者に提供するためのものである。また、アクセス制御モジュール２２０は、所有者のアカウントへの不正アクセスを防止する安全対策を維持する。セキュリティモジュールは、暗号化および解読構成要素、電子透かし構成要素、ならびに関連するコピー制限および歌追跡構成要素を含むことができる。アクセス制御モジュール２２０はまた、所有者アカウント内のメディアアイテムへのレビューユーザアクセスを提供する。アップロードモジュール２３０は、メディアアイテムを所有者のそれぞれのアカウントにアップロードする、所有者のためのものである。共有モジュール２４０は、レビューユーザに彼らのメディアアイテムへのアクセスを提供する、所有者のためのものである。再生モジュール２５０は、所有者がメディアアイテムにアクセスを与えたデジタル保管庫内のメディアアイテムをストリーミングする、レビューユーザのためのものである。管理モジュール２６０は、所有者に、アカウント内のメディアアイテムを管理するための様々なオプションを提供する。アクティビティモジュールは、レビューユーザがデジタル保管庫に入った厳密な日時を記録／追跡し、どの特定のメディアアイテムを再生したか、および音楽所有者が保管庫に保管した特定の元のメディアアイテムのそれぞれについて、プレイバックの期間がどのようなものであったかを示すそのアクティビティのタイムスタンプをレビュアーによって提供する。アクティビティモジュールはまた、レビュアーのＩＰアドレス、匿名化または非匿名化または他の識別子を捕捉または受信してもよい。
【００２０】
パブリッシングモジュール２７０は、自動発行機能を所有者に提供する。パブリッシングモジュール２７０を通じて、所有者は、発行するアカウント内の１つ以上のメディアアイテムを識別することができる。次いで、パブリッシングモジュール２７０は、識別されたメディアアイテムを公衆チャネルを介してストリーミングするように自動的に行い、タイムスタンプおよびチャネルＩＤなどの再生情報を記録する。公共チャネルは、Ｓｐｏｔｉｆｙ（登録商標）、Ｐａｎｄｏｒａ（登録商標）、ＹｏｕＴｕｂｅ（登録商標）、またはＨｕｌｕ（登録商標）などのオンラインストリーミングサービス、または地上ラジオ局などの放送局、またはＴｉｍｅ  Ｗａｒｎｅｒ  Ｃａｂｌｅによって提供されるようなケーブル音楽チャネルとすることができる。メディアアイテムは、パブリックチャネルのユーザによってオンデマンドでストリーミングされてもよいし、パブリックチャネルのプレイリストに含まれてもよい。メディアアイテムがストリーミングされるとき、パブリッシングモジュール２７０はまた、ストリーミングサービスからメディアアイテムのレビューアまたは受信者のＩＰアドレス、匿名化または非匿名化または他の識別情報を捕捉または受信してもよい。楽曲をデジタル保管庫から直接的に提供する場合、デコーダ／コーデックを有するストリーミングプレーヤは、再生モジュール２５０またはパブリッシングモジュール２７０によってレビューするユーザに提供され得る。
【００２１】
著作権登録モジュール２８０は、自動化された著作権アプリケーション機能を所有者に提供する。著作権登録モジュール２８０を通じて、所有者は、著作権登録のためにアカウント内の１つ以上のメディアアイテムを識別することができる。次に、著作権登録モジュール２８０は、著作権申請の提出に必要な情報を収集し、米国著作権局などの著作権局のオンラインアプリケーションシステムとのインターフェースを介して、識別されたメディアアイテムのレジストレーションの申請を自動的に提出する。著作権登録モジュール２８０は、所有者から要求された情報のいくつかを要求することができる。著作権登録モジュール２８０は、必要な内容の一部を自動的に取得してもよい。例えば、デジタル保管庫２００は、パブリッシングモジュール２７０を介して発行されたメディアアイテムに関する発行情報を記憶し、著作権登録モジュール２８０は、この情報を著作権アプリケーションで使用することができる。
【００２２】
侵害追跡モジュール２９０は、自分のメディアアイテムの無許可の配信および再生について学習するための自動機能を所有者に提供する。侵害追跡モジュール２９０を通じて、所有者は、そのアカウント内の１つ以上のメディアアイテムを選択することができ、侵害追跡モジュール２９０は、選択されたメディアアイテムに一致（マッチング）するメディアをデジタル保管庫２００の外部で検索する。侵害追跡モジュール２９０は、パブリッシングモジュール２７０によって選択されたメディアアイテムに付加された電子透かしを用いた識別、メディアアイテムファイルのビット比較、ハッシュ演算比較、または他の識別技法を実行することができる。次いで、侵害追跡モジュール２９０は、見つかったメディアアイテムの位置およびマッチングの信頼度を含むマッチング情報を報告する。
【００２３】
次に図３を参照すると、デジタル保管庫２００（図２）のようなデジタル保管庫を用いてメディアアイテムの配信を制御する所有者のフローチャートが示されている。このフローチャートは、開始３０５および終了３９５の両方を有するが、このプロセスは本質的に周期的である。図３の記述は、１つの所有者に関するものであるが、デジタル保管庫は、複数所有者およびそれらのそれぞれのアカウントに関する同時動作をサポートするマルチユーザシステムである。
【００２４】
図３の方法は、図２のモジュールに対応する主要なステップを含むことができる。すなわち、主要なステップは、アカウント管理モジュール２１０を介したアカウント作成３１０、アクセス制御モジュール２２０を介したアクセス制御３２０、アップロードモジュール２３０を介したアップロード３３０、共有モジュール２４０を介したメディアの共有３４０、アクティビティ追跡モジュールを介したレビュアーのアクティビティの追跡およびタイムスタンプ、および管理モジュール２６０を介した歌曲管理３６０を含む。デジタル保管庫は、所有者の制御装置にユーザインターフェースを提供してもよく、それを介して、本明細書で説明される動作が所有者および制御装置によって実行される。これらのユーザインターフェースは、それぞれのモジュールによって提供されてもよい。
【００２５】
アカウント作成３１０では、所有者は、デジタル保管庫に接続する制御装置上のウェブサイトまたはアプリケーションなどを介してデジタル保管庫にアクセスし、アカウントをアクティブ化する。アカウントは、最初のサインオン時に、または前もって作成することができる。デジタル保管庫への所有者の最初のコネクションにおいて、所有者のアカウントがアクティブにされ、基本アカウント設定が設定される。例えば、デジタル保管庫は、所有者のユーザＩＤおよび暗証番号を取得することができる。初期情報の検証後、デジタル保管庫は、所有者のアカウントをアクティベートする。アカウント管理モジュールを通じて、所有者は、パスワードおよび他の典型的なアカウント管理操作を変更することができる。
【００２６】
アクセス制御３２０では、所有者は、デジタル保管庫にログインする。ログインは、アカウント作成３１０と同じウェブサイトまたはアプリケーション、あるいはデジタル保管庫に接続された所有者の制御装置上の別のウェブサイトまたはアプリケーションを介して行うことができる。デジタル保管庫は、ユーザを検証し、検証されると、ユーザ／所有者のアカウントへのアクセスを提供する。アクセスコントロールユーザインターフェース内から、所有者は、アップロード３３０、共有３４０、および管理３６０を含む様々な他の動作を実行することができる。
【００２７】
アップロード３３０において、デジタル保管庫は、所有者からメディアアイテムを取得する。この点に関して、デジタル保管庫は、所有者がデジタル保管庫にアップロードする１つまたは複数のメディアアイテムを識別するためのユーザインターフェースを提供することができる。アップロードユーザインターフェースは、所有者が制御装置またはクラウドストレージなどの他の場所に格納されたメディアアイテムを選択することを可能にし得る。次いで、デジタル保管庫は、選択されたメディアアイテムを、リポジトリ１１５（図１）などのそのリポジトリにアップロードすることができる。アップロードは、メディアアイテムをコピーする形態をとることができ、または、所有者によって識別された場所へのポインタまたは場所の住所の記憶とすることができる。アップロードモジュール２３０は、所有者からそれぞれのメディアアイテムを受信したデジタル保管庫にタイムスタンプを自動的に記録する。
【００２８】
共有３４０において、共有ユーザインタフェースは、所有者が１人または複数のレビューするユーザと、レビューユーザがアクセスを提供される音楽所有者のアカウント内のメディアアイテムとを識別することを可能にする。共有ユーザインタフェースはまた、所有者がストリーミング制限を設定することを可能にし得る。制限は、個々のレビューユーザまたはレビューユーザのグループに関して、および個々のメディアアイテムまたはメディアアイテムのグループに関して設定することができる。再生の総数は制限され得る。再生される総時間は制限され得る。再生のためのメディアアイテムの利用可能性は、固定された期限、または最初の再生またはログインなどの何らかのマイルストーンから始まる期間などに制限され得る。共有ユーザインタフェースは、所有者がレビューユーザがメディアアイテムをストリーミングするために使用することが許可されているか、または許可されていないストリーミングプレーヤを選択することを可能にし得る。デジタル保管庫は、リッスンの数、それぞれのリッスンの長さなどを追跡するためのカウンタおよびトラッキングデータベースを含むことができる。共有において、共有ユーザインターフェースは、所有者がレビュアーが所有者の保管庫に入ることを許可し、レビュアーの活動の特別な追跡を可能にし、レビュアーの機械ＩＤを識別する個々のアクセスコードを割り当てることを可能にする。個々のアクセスコードは、個々のレビュアーに固有であり、転送可能ではない。レビュアーの個々のアクセスコードは、所有者によって管理され、単一セッションのための１回のレビューコードであってもよいし、複数のレビューの機会にレビュアーによってのみ再利用され得るレビュアー固有のコードであってもよい。ログファイルは、個々のレビュアーごとに作成され、レビュアーはアクセスコードを受け取り、アクセスコードは自身のアクティビティの日付、具体的なメディアアイテムによる自身のアクティビティの持続時間、および自身がデジタル保管庫を出た厳密な時間を示し、タイムスタンプを付ける。
【００２９】
管理３６０において、管理ユーザインタフェースは、所有者が所有者のアカウント内のメディアアイテムを管理することを可能にする。管理は、メタデータの割り当ておよび報告を含むことができる。メタデータは、様々なソースから得ることができる。マネージメントユーザインターフェースは、所有者がそのアカウントに格納されたメディアアイテムに対して、メディアアイテム名称などのメタデータを提供することを可能にすることができる。管理モジュール２６０（図２）などによるデジタル保管庫は、メディアアイテムの長さをメディアアイテムごとにメタデータとして自動的に作成し、記憶することができる。他のメタデータは、アルバム名、演奏アーティスト名、プロデューサ名、アレンジャー名、レコーディングエンジニア名、レコーディングスタジオ名、レコーディング日時、著者名、歌詞著者名、ジャンルおよびサブジャンルを含んでもよい。
【００３０】
マネージメントユーザインターフェースはまた、レビューユーザによるそれぞれのメディアアイテムの再生の所有者にレポートを提供してもよい。レポートは、それぞれのメディアアイテム名およびそれぞれのレビューユーザ、ならびにストリームの始まりのタイムスタンプ、ストリームの長さ、メディアアイテムが完全に再生されたか早期に停止されたか、およびストリームの総数のようなプレイバック情報を識別することができる。レポートは、個々のレビューユーザまたはレビューユーザのグループ、または個々のメディアアイテムまたはメディアアイテムのグループに関するものであってもよい。
【００３１】
メディアアイテムが完全に再生されたかどうかは、基準によって定義することができる。最も単純な基準は、メディアアイテムが中断することなく開始から終了まで再生されたことである。すなわち、完全なファイルは、ストリーミングされている。マネージメントユーザインターフェースは、所有者が、再生を定義するための様々な基準を定義することを可能にし得る。１つの再生は、ストリームが所定の期間にわたって、または所定のパーセンテージにわたって継続することとして定義され得る。しかしながら、音楽レビュアーのためのすべての許可された音楽再生がログインされ、再生期間の持続時間に関係なく、特定の許可されたアクセスコードを利用してレビュアーによって任意の再生の記録が保持される。これは、レビュアーが再生セッションを特定のまたは所定の期間下に保つために再生時間を管理することを妨げる。
【００３２】
管理３６０において、ユーザインターフェースはまた、所有者が１つ以上の画像および／またはビデオを、歌および／またはアルバムに関連付けることを可能にし得る。ビデオは、それぞれの歌を含むことができる。マネージメントユーザインターフェースは、所有者が画像、ビデオ、および他のファイルを指定し、指定されたメディアアイテムに関連付けてこれらのファイルをアップロードすることを可能にし得る。
【００３３】
ここで図４を参照すると、レビューユーザが、メディアアイテムの制御された配信を受信する方法のフローチャートが示されている。このフローチャートは、開始４０５および終了４９５の両方を有するが、このプロセスは本質的に周期的である。図４の記述は、１つのレビューユーザに関するものであるが、デジタル保管庫は、複数のレビューユーザに関する同時動作を複数の所有者と共にサポートする。
【００３４】
図４の方法は、図２のモジュールに対応する主要なステップを含むことができる。すなわち、主要なステップは、アクセス制御モジュール２２０によるアクセス制御４２０と、再生モジュール２５０による再生４５０とを含む。デジタル保管庫は、レビューユーザのレビュー装置にユーザインターフェースを提供し、レビューユーザおよびレビュー装置によって、本明細書で説明される動作が実行される。これらのユーザインターフェースは、それぞれのモジュールによって提供されてもよい。
【００３５】
アクセス制御４２０において、レビューユーザは、レビュー装置を介して、所有者のアカウント内のメディアアイテムへのアクセスが提供される。これは、図３のアクセス制御ステップ３２０において、所有者に応じて行われ、所有者のアカウント内のメディアアイテムへのアクセスのためにレビューユーザを指定する。次いで、デジタル保管庫は、メディアアイテムにアクセスするようにレビューユーザに招待するメッセージをレビューユーザに送信することができる。招待は、メディアアイテム名および所有者の名前などのメディアアイテムメタデータを含むことができる。招待は、開かれたときにデジタル保管庫からデータを取得し、デジタル保管庫とレビュー装置からのメタデータも共有する電子メールメッセージであってもよい。招待は、テキストメッセージングおよびソーシャルネットワークなどの他の電子通信チャネルを介して提供されてもよい。デジタル保管庫は、自動郵送などによるオフライン招待を支援することができる。
【００３６】
招待は、レビューするユーザが所有者のアカウント内のメディアアイテムを再生するためのリンクまたは認証情報を含むことができる。レビューユーザによって起動されると、リンクは、デジタル保管庫からのユーザインターフェースディスプレイをレビュー装置上に表示させることができる。ユーザインターフェースは、メディアアイテムに関する追加のメタデータを提供し、管理モジュール３６０（図３）によって得られるような画像またはビデオをディスプレイすることができる。リンクのアクティブ化により、レビュー装置上のストリーミングメディアプレーヤがアクティブ化される。招待は、音楽レビュアーに固有であり転送非特定のアクセスコードを含むことができる。アクセスコードは、単一の指定されたメディアアイテムのレビューセッションのためのものであってもよく、または特定のレビュアーのために所有者によって確立された特定の開始および終了を伴う、所定の期間にわたる多数のレビューセッションのためのものであってもよい。
【００３７】
レビューユーザがメディアアイテムにアクセスするとき、デジタル保管庫は、レビューユーザのＩＤおよびアクティベーションタイムスタンプなどの関連イベントメタデータをキャプチャすることができる。レビューユーザには、所有者またはデジタル保管庫などからのアクセスコード、すなわち、使い捨てアクセスコード、または音楽所有者によって確立された所定の期間有効なままであるユーザ固有の転送非アクセスコードのいずれかが提供され得る。レビュアーが、レビュアーの組織またはネットワークの追加の提携メンバーに、それらの保管庫内の所有者のメディアアイテムにアクセスすることを許可することを要求する場合、所有者は、レビュアーの組織またはネットワークの一部である特定の個人に関係するサフィックスの使用を通じて提供される、レビュアーに与えられる特定のアクセスコードに、追加の許可されたユーザを提供することができる。あるいは、新しいアクセスコードが他の許可されたレビューアとの所属にかかわらず、すべての個々のレビュアーに発行され得る。さらに、主要な許可されたレビュアーの組織またはネットワークに追加された任意の追加の許可されたレビュアーがグループ包括アクセスコード判定の下で単回使用または延長された所定の期間のアクセスコードを発行され、その結果、レビュアーの個人サークルのすべての関連部材が単一のレビュアーグループの一部として追跡され得る機構が作成され得る。レビュアーによる所有者のメディアアイテムの再生のその後のリクエストはそれぞれ、新しいアクセスコードを必要とするか、またはそのレビュアーにすでに発行されているアクセスコードの所定の期間および範囲に基づいて適格でなければならない。
【００３８】
デジタル保管庫４２０にアクセスした後、レビューユーザは、再生４５０を開始することができる。メディアアイテムのストリーミングは、自動的に開始することができる。レビューユーザがメディアアイテムのストリーミングを変更することを可能にするユーザインタフェースがあってもよい。このユーザインターフェースは、レビュー装置内のストリーミングメディアプレーヤと一体化されてもよく、および／またはデジタル保管庫によって提供されてもよい。このユーザインターフェイスを通して、ユーザはストリームのジャンプバックまたはジャンプアヘッドをリクエストすることができる。しかし、リスニングモジュール３２０は、共有モジュール３４０内の所有者によって設定された再生、ストリーミングメディアプレーヤ、およびストリーム制御に再表示ユーザを制限することができる。プレイモジュール４５０は、レビューユーザの識別情報、ストリームの開始のタイムスタンプ、およびストリームの停止のタイムスタンプまたはストリームの期間などの、レビューユーザによるそれぞれのストリームのイベントメタデータを記録することができる。メタデータはまた、ストリーム内のジャンプバックまたはジャンプアヘッド要求など、レビューユーザによるストリーム制御を含んでもよい。
【００３９】
再生モジュール２５０は、使用されるストリーミングプレーヤの種類を記録することができる。再生モジュール２５０は、共有モジュール３４０などを通じて、所有者によって選択されたストリーミングプレーヤのみを使用してストリーミングするようにレビューユーザを制限することができる。
【００４０】
再生４５０中に、レビューユーザには、追加のメディアアイテムを聴くか、またはレビューユーザが満足するまでメディアアイテムを繰り返すオプションが提供され得る。
【００４１】
次に図５を参照すると、コンピューティング装置５００が示されている。デジタル保管庫、制御装置、およびレビュー装置など、本明細書で説明するコンピュータ装置は、図５に示すように構成することができる。コンピューティングデバイス５００は、プロセッサ５２０、通信インターフェース５３０、メモリ５４０、および入力／出力インターフェース５５０を含む。さらに、これらの要素は互いに独立して示されているが、場合によってはそれぞれが互いに一体化されてもよい。
【００４２】
コンピューティングデバイス５００は、本明細書で説明するモバイルデバイスおよび他のコンピューティングデバイスを表す。例えば、コンピューティングデバイス５００は、モバイルデバイスまたはサーバであってもよく、あるいはモバイルデバイスまたはサーバの一部であってもよい。コンピューティングデバイス５００は、本明細書で説明する機能および特徴を提供するためのソフトウェアおよび／またはハードウェアを含むことができる。したがって、コンピューティングデバイス５００は、論理アレイ、メモリ、アナログ回路、デジタル回路、ソフトウェア、ファームウェア、およびプロセッサのうちの１つまたは複数を含むことができる。コンピューティングデバイス５００のハードウェアおよびファームウェアコンポーネントは、本明細書で説明される機能および特徴を提供するための様々な特殊化されたユニット、回路、ソフトウェア、およびインタフェースを含むことができる。プロセス、機能、および特徴は、コンピューティングデバイス５００上で動作するソフトウェアで全体的にまたは部分的に具現化することができ、ファームウェア、アプリケーションプログラム、アプリケーション、動的リンクライブラリ（ＤＬＬ：ｄｙｎａｍｉｃ  ｌｉｎｋｅｄ  ｌｉｂｒａｒｙ）、スクリプト、１つまたは複数のサブルーチン、またはオペレーティングシステムコンポーネントまたはサービスの形成とすることができる。ハードウェアおよびソフトウェアならびにそれらの機能は、いくつかのコンポーネントがコンピューティングデバイス５００によって実行され、他のコンポーネントが他のデバイスによって実行されるように分散され得る。
【００４３】
プロセッサ５２０は、１つまたは複数のマイクロプロセッサ、特定用途向け集積回路（ＡＳＩＣ）、またはシステム・オン・チップ（ＳＯＣ）であり得るか、またはそれらを含み得る。
【００４４】
通信インターフェース５３０は、外部装置と通信するためのインターフェースを含む。コンピューティングデバイス５００の場合、通信インターフェース５３０は、モバイルデバイスとの無線通信を可能にすることができる。通信インターフェース５３０は、有線でも無線でもよい。通信インターフェース５３０は、Ｂｌｕｅｔｏｏｔｈ（登録商標）、赤外線、および／または８０２．１１ｘワイヤレスなどの短距離から中距離のワイヤレスプロトコル、または現存する別のワイヤレスプロトコルに依存し得る。
【００４５】
メモリ５４０は、ＲＡＭ、ＲＯＭ、ＤＲＡＭ、ＳＲＡＭおよびＭＲＡＭ、または他のメモリシステムであってもよく、またはこれらを含んでもよく、静的データまたは固定命令などのファームウェア、ブートコード、システム機能、構成データ、およびコンピューティングデバイス５００およびプロセッサ５２０の動作中に使用される他のルーチンを含んでもよい。メモリ５４０はまた、プロセッサ５２０によって処理されるアプリケーションおよびデータに関連するデータおよび命令のための記憶領域を提供する。
【００４６】
Ｉ／Ｏインタフェース５５０は、プロセッサ５２０をコンピューティングデバイス５００の外部のコンポーネントにインタフェース接続する。サーバおよびモバイルデバイスの場合、これらは、キーボード、マウス、ペン、音声起動システム、および他の周辺機器であってもよい。
【００４７】
記憶装置５６０は、コンピューティングデバイス５００内のデータまたは命令の不揮発性、大容量、または長期記憶を提供する非一時的な電子機械可読媒体である。本明細書で説明するソフトウェアは、記憶装置５６０に格納することができる。記憶装置は、ハードディスクドライブ、ＤＶＤドライブ、フラッシュメモリデバイス、および他のストレージデバイスを含む。コンピューティングデバイス５００には、複数の記憶装置が提供されてもよいし、利用可能であってもよい。これらの記憶装置のいくつかは、ネットワークストレージ、クラウドベースストレージ、または関連するモバイルデバイス上のストレージなど、コンピューティングデバイス５００の外部にあってもよい。この記憶装置５６０は、コンピューティングデバイス５００のための命令の一部またはすべてを記憶することができる。本明細書で使用される「記憶媒体」という用語は、特に、伝搬波形および無線周波数信号などの一時的な媒体を除外する。
【００４８】
クロージングコメント
この説明全体を通して、示された実施形態および実施例は、開示され、または特許請求される装置および手順に対する限定ではなく、例示とみなされるべきである。本明細書で提示される例の多くは方法動作またはシステム要素の特定の組み合わせを含むが、これらの動作およびこれらの要素は同じ目的を達成するために他の方法で組み合わせられてもよいことを理解されたい。フローチャートに関して、追加のステップおよびより少ないステップが取られてもよく、図示されるステップは本明細書に記載される方式を達成するために組み合わされてもよいし、さらに洗練されてもよい。１つの実施形態に関連してのみ議論される動作、要素、および特徴は、他の実施形態における同様の役割から除外されることを意図しない。
【００４９】
本明細書で使用される「複数」は、２つ以上を意味する。本明細書で使用されるように、アイテムの「セット」は、そのようなアイテムのうちの１つまたは複数を含むことができる。本明細書で使用されるように、明細書または特許請求の範囲のいずれにおいても、用語「備える」、「含む」、「持っている」、「有している」、「含んでいる」、「含み」などはオープンエンドですなわち、これらを含むが、これらに限定されないことを意味するものと理解されるべきである。それぞれ「からなる」および「から本質的になる」遷移フレーズのみが、クレームに関してクローズまたはセミクローズの遷移フレーズである。クレーム要素を修正するためのクレームにおける「第１」、「第２」、「第３」などの順序用語の使用はそれ自体、あるクレーム要素の優先度、優先順位、または別のクレーム要素に対する順序、または方法の行為が実行される時間的順序を意味するものではなく、単に、ある名前を有する１つのクレーム要素を、同じ名前を有する別の要素から区別するためのラベルとして使用され（但し、順序用語の使用のため）、クレーム要素を区別する。本明細書で使用される「および／または」は列挙された項目が代替物であることを意味するが、代替物は列挙された項目の任意の組合せも含む。
【図１】
2019101422.tif 000003
【図２】
2019101422.tif 000004
【図３】
2019101422.tif 000005
【図４】
2019101422.tif 000006
【図５】
2019101422.tif 000007
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
歌用のデジタル保管庫であって、前記歌は、デジタル形式の音楽からなり、前記デジタル保管庫は、
複数の音楽所有者の前記デジタル保管庫と共にアカウントを作成するアカウント管理モジュールと、
それぞれのアカウントへの安全なアクセスを前記音楽所有者に提供し、前記音楽所有者のアカウントへの不正アクセスを防止するためのアクセス制御モジュールと、
前記音楽所有者のそれぞれのアカウントへ歌をアップロードし、各歌の受信の前記デジタル保管庫にタイムスタンプを自動的に記録する、前記音楽所有者のための歌アップロードモジュールと、
１人以上のレビューユーザを識別し、歌毎に割り当てられた前記レビューユーザに対するストリーミング制限を設定する、前記音楽所有者のための共有モジュールと、
前記音楽所有者がアクセスを与えた前記デジタル保管庫内の前記歌をストリーミングする、前記レビューユーザのための再生モジュールであって、前記レビューユーザによるストリーミングは、前記共有モジュールにおいて前記音楽所有者によって設定された前記ストリーミング制限に従ってリスニングモジュールによって制限され、前記リスニングモジュールは、各ストリームについて、ストリームを要求する前記レビューユーザの識別子、ストリームの開始のタイムスタンプ、ストリームの停止のタイムスタンプまたはストリームの時間長のいずれかを記録し、前記レビューユーザがストリーム内でジャンプバックまたはジャンプアヘッドを要求する、再生モジュールと、
前記音楽所有者のそれぞれのアカウントに格納された前記歌にメタデータを提供し、前記メタデータは、歌の名称を含み、それぞれの歌の名称およびそれぞれの前記レビューユーザ、ストリームの開始のタイムスタンプ、ストリームの時間の長さ、および許可された前記レビューユーザに対するストリームの総数を識別することを含む、前記レビューユーザによるそれぞれの歌のストリームのレポートを前記音楽所有者に報告する、前記音楽所有者のための歌管理モジュールと、
を備え、
前記リスニングモジュールは、使用されるストリーミングプレーヤデバイスのタイプを取得し、
前記共有モジュールは、前記レビューユーザが前記歌をストリーミングするために使用することが許可されているストリーミングプレーヤデバイスを選択する前記音楽所有者のためのものであり、前記リスニングモジュールは、選択された前記ストリーミングプレーヤデバイスのみを使用してストリーミングするように前記レビューユーザを制限する、
デジタル保管庫。
【請求項２】
前記歌管理モジュールは、使用される前記ストリーミングプレーヤデバイスのタイプを報告する、請求項１に記載のデジタル保管庫。
【請求項３】
前記歌管理モジュールは、前記ストリームが始まる場合に、１つの再生を定義する、請求項１に記載のデジタル保管庫。
【請求項４】
前記歌管理モジュールは、前記ストリームが所定の期間継続した場合に、１つの再生をさらに定義する、請求項３に記載のデジタル保管庫。
【請求項５】
前記歌管理モジュールは、前記歌の長さを各歌のメタデータとして自動的に作成および格納する、請求項１に記載のデジタル保管庫。
【請求項６】
前記歌管理モジュールは、前記歌の少なくともいくつかのメタデータとして、アルバム名、演奏アーティスト、プロデューサ名、アレンジャー名、音楽作者名、歌詞作者名、ジャンル、サブジャンルのうちの１つまたは複数を格納する、請求項１に記載のデジタル保管庫。
【請求項７】
前記歌管理モジュールは、前記歌の少なくともいくつかについての関連ファイルを格納する、請求項１に記載のデジタル保管庫。
【請求項８】
前記関連ファイルは、それぞれの歌を含む画像およびビデオを含む、請求項７に記載のデジタル保管庫。
【請求項９】
公開するために前記音楽所有者のアカウント内の１つ以上の前記歌を識別し、識別された前記歌を公開チャネルを介してストリーミングさせる、前記音楽所有者のためのパブリッシングモジュールを含む、請求項１に記載のデジタル保管庫。
【請求項１０】
著作権登録のための前記音楽所有者のアカウント内の１つ以上の前記歌を識別し、識別された前記歌について著作権登録の申請を自動的に提出させる、前記音楽所有者のための著作権登録モジュールを含む、請求項１に記載のデジタル保管庫。
【請求項１１】
前記デジタル保管庫内の前記歌と一致する歌を前記デジタル保管庫の外部で自動的に検索する侵害追跡モジュールを含む、請求項１に記載のデジタル保管庫。
【請求項１２】
前記共有モジュールは、前記デジタル保管庫内の前記歌を聴くように前記レビューユーザに招待するためのリンクまたは認証情報を前記音楽所有者に提供する、請求項１に記載のデジタル保管庫。
【請求項１３】
前記ストリーミング制限は、それぞれの前記レビューユーザによるそれぞれのストリームの最大再生回数を含む、請求項１に記載のデジタル保管庫。
【請求項１４】
ビデオおよび音楽と同様の他のストリーミングメディアに適用される、請求項１に記載のデジタル保管庫。
【請求項１５】
前記モジュールをソフトウェアとして格納する不揮発性機械可読媒体を含む、請求項１に記載のデジタル保管庫。
【請求項１６】
前記レビューユーザが前記デジタル保管庫に入った正確な時間および日付を記録／追跡し、どの特定の歌を聴いたか、および前記音楽所有者が前記デジタル保管庫に保管した特定の元の音楽の一部のそれぞれについて、レビューの期間がどのようなものであったかを示すそのアクティビティのタイムスタンプをレビュアーによって提供するアクティビティモジュールをさらに備える請求項１に記載のデジタル保管庫。
【請求項１７】
前記アクティビティモジュールは、リスナーのＩＰアドレス、匿名または非匿名、または他の識別子を捕捉または受信する、請求項１６に記載のデジタル保管庫。
【請求項１８】
歌用のデジタル保管庫であって、前記歌は、デジタル形式の音楽からなり、前記デジタル保管庫は、
複数の音楽所有者の前記デジタル保管庫と共にアカウントを作成するアカウント管理モジュールと、
それぞれのアカウントへの安全なアクセスを前記音楽所有者に提供し、前記音楽所有者のアカウントへの不正アクセスを防止するためのアクセス制御モジュールと、
前記音楽所有者のそれぞれのアカウントへ歌をアップロードし、各歌の受信の前記デジタル保管庫にタイムスタンプを自動的に記録する、前記音楽所有者のための歌アップロードモジュールと、
１人以上のレビューユーザを識別し、歌毎に割り当てられた前記レビューユーザに対するストリーミング制限を設定する、前記音楽所有者のための共有モジュールと、
前記音楽所有者がアクセスを与えた前記デジタル保管庫内の前記歌をストリーミングする、前記レビューユーザのためのリスニングモジュールであって、前記レビューユーザによるストリーミングは、前記共有モジュールにおいて前記音楽所有者によって設定されたストリーミング制限に従って前記リスニングモジュールによって制限され、前記リスニングモジュールは、各ストリームについて、ストリームを要求する前記レビューユーザの識別子、ストリームの開始のタイムスタンプ、ストリームの停止のタイムスタンプまたはストリームの時間長のいずれかを記録し、前記レビューユーザがストリーム内でジャンプバックまたはジャンプアヘッドを要求する、前記リスニングモジュールと、
前記音楽所有者のそれぞれのアカウントに格納された前記歌にメタデータを提供し、前記メタデータは、歌の名称を含み、それぞれの歌の名称およびそれぞれの前記レビューユーザ、ストリームの開始のタイムスタンプ、ストリームの時間の長さ、および許可された前記レビューユーザに対するストリームの総数を識別することを含む、前記レビューユーザによるそれぞれの歌のストリームのレポートを前記音楽所有者に報告するための歌管理モジュールと、
特定のパブリックストリーミングチャネルを公開および識別するために、前記音楽所有者のアカウント内の１つまたは複数の前記歌を識別する、前記音楽所有者のためのパブリックモジュールであって、前記パブリックストリーミングチャネルは、オンラインストリーミングサービスまたは地上ラジオ局またはケーブル音楽のうちの少なくとも１つを含む、パブリックモジュールと、
を備え、
前記パブリックモジュールは、さらに、識別された前記歌を、識別された前記パブリックストリーミングチャネルを通じて自動的にストリーミングさせ、識別された前記特定のパブリックストリーミングチャネルを通じてストリーミングするために、識別された前記歌の各ストリームについてのタイムスタンプおよびチャネル識別子を自動的に取得させる、
デジタル保管庫。
【請求項１９】
前記歌管理モジュールは、前記ストリームが始まる場合に、１つの再生を定義する、請求項１８に記載のデジタル保管庫。
【請求項２０】
前記歌管理モジュールは、前記ストリームが所定の期間継続した場合に、１つの再生をさらに定義する、請求項１９に記載のデジタル保管庫。
【請求項２１】
前記歌管理モジュールは、前記歌の長さを各歌のメタデータとして自動的に作成および格納する、請求項１８に記載のデジタル保管庫。
【請求項２２】
前記歌管理モジュールは、前記歌の少なくともいくつかのメタデータとして、アルバム名、演奏アーティスト、プロデューサ名、アレンジャー名、音楽作者名、歌詞作者名、ジャンル、サブジャンルのうちの１つまたは複数を格納する、請求項１８に記載のデジタル保管庫。
【請求項２３】
前記歌管理モジュールは、前記歌の少なくともいくつかについての関連ファイルを格納する、請求項１８に記載のデジタル保管庫。
【請求項２４】
前記関連ファイルは、それぞれの前記歌を含む画像およびビデオを含む、請求項２３に記載のデジタル保管庫。
【請求項２５】
著作権登録のための前記音楽所有者のアカウント内の１つ以上の前記歌を識別し、識別された前記歌に対して前記著作権登録の申請を自動的に提出させる、前記音楽所有者のための著作権登録モジュールを含む、請求項１８に記載のデジタル保管庫。
【請求項２６】
前記デジタル保管庫内の前記歌と一致する歌を前記デジタル保管庫の外部で自動的に検索する侵害追跡モジュールを含む、請求項１８に記載のデジタル保管庫。
【請求項２７】
前記共有モジュールは、前記デジタル保管庫内の歌を聴くように前記レビューユーザに招待するためのリンクまたは認証情報を前記音楽所有者に提供する、請求項１８に記載のデジタル保管庫。
【請求項２８】
前記ストリーミング制限は、それぞれの前記レビューユーザによるそれぞれのストリームの最大再生回数を含む、請求項１８に記載のデジタル保管庫。
【請求項２９】
ビデオおよび音楽と同様の他のストリーミングメディアに適用される、請求項１８に記載のデジタル保管庫。
【請求項３０】
前記モジュールをソフトウェアとして格納する不揮発性機械可読媒体を含む、請求項１８に記載のデジタル保管庫。
【請求項３１】
前記レビューユーザが前記デジタル保管庫に入った正確な時間および日付を記録／追跡し、どの特定の歌を聴いたか、および前記音楽所有者が前記デジタル保管庫に保管した特定の元の音楽の一部のそれぞれについて、レビューの期間がどのようなものであったかを示すそのアクティビティのタイムスタンプをレビュアーによって提供するアクティビティモジュールをさらに備える請求項１８に記載のデジタル保管庫。
【請求項３２】
前記アクティビティモジュールは、リスナーのＩＰアドレス、匿名または非匿名、または他の識別子を捕捉または受信する、請求項３１に記載のデジタル保管庫。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
歌用のデジタル保管庫であって、前記歌は、デジタル形式の音楽からなり、前記デジタル保管庫は、
複数の音楽所有者の前記デジタル保管庫と共にアカウントを作成するアカウント管理モジュールと、
それぞれのアカウントへの安全なアクセスを前記音楽所有者に提供し、前記音楽所有者のアカウントへの不正アクセスを防止するためのアクセス制御モジュールと、
前記音楽所有者のそれぞれのアカウントへ歌をアップロードし、各歌の受信の前記デジタル保管庫にタイムスタンプを自動的に記録する、前記音楽所有者のための歌アップロードモジュールと、
１人以上のレビューユーザを識別し、歌毎に割り当てられた前記レビューユーザに対するストリーミング制限を設定する、前記音楽所有者のための共有モジュールと、
前記音楽所有者がアクセスを与えた前記デジタル保管庫内の前記歌をストリーミングする、前記レビューユーザのための再生モジュールであって、前記レビューユーザによるストリーミングは、前記共有モジュールにおいて前記音楽所有者によって設定された前記ストリーミング制限に従ってリスニングモジュールによって制限され、前記リスニングモジュールは、各ストリームについて、ストリームを要求する前記レビューユーザの識別子、ストリームの開始のタイムスタンプ、ストリームの停止のタイムスタンプまたはストリームの時間長のいずれかを記録し、前記レビューユーザがストリーム内でジャンプバックまたはジャンプアヘッドを要求する、再生モジュールと、
前記音楽所有者のそれぞれのアカウントに格納された前記歌にメタデータを提供し、前記メタデータは、歌の名称を含み、それぞれの歌の名称およびそれぞれの前記レビューユーザ、ストリームの開始のタイムスタンプ、ストリームの時間の長さ、および許可された前記レビューユーザに対するストリームの総数を識別することを含む、前記レビューユーザによるそれぞれの歌のストリームのレポートを前記音楽所有者に報告する、前記音楽所有者のための歌管理モジュールと、
を含む複数のモジュールを備え、
前記リスニングモジュールは、使用されるストリーミングプレーヤデバイスのタイプを取得し、
前記共有モジュールは、前記レビューユーザが前記歌をストリーミングするために使用することが許可されているストリーミングプレーヤデバイスを選択する前記音楽所有者のためのものであり、前記リスニングモジュールは、選択された前記ストリーミングプレーヤデバイスのみを使用してストリーミングするように前記レビューユーザを制限する、
デジタル保管庫。
【請求項２】
前記歌管理モジュールは、使用される前記ストリーミングプレーヤデバイスのタイプを報告する、請求項１に記載のデジタル保管庫。
【請求項３】
前記歌管理モジュールは、前記ストリームが始まる場合に、１つの再生を定義する、請求項１に記載のデジタル保管庫。
【請求項４】
前記歌管理モジュールは、前記ストリームが所定の期間継続した場合に、１つの再生をさらに定義する、請求項３に記載のデジタル保管庫。
【請求項５】
前記歌管理モジュールは、前記歌の長さを各歌のメタデータとして自動的に作成および格納する、請求項１に記載のデジタル保管庫。
【請求項６】
前記歌管理モジュールは、前記歌の少なくともいくつかのメタデータとして、アルバム名、演奏アーティスト、プロデューサ名、アレンジャー名、音楽作者名、歌詞作者名、ジャンル、サブジャンルのうちの１つまたは複数を格納する、請求項１に記載のデジタル保管庫。
【請求項７】
前記歌管理モジュールは、前記歌の少なくともいくつかについての関連ファイルを格納する、請求項１に記載のデジタル保管庫。
【請求項８】
前記関連ファイルは、それぞれの歌を含む画像およびビデオを含む、請求項７に記載のデジタル保管庫。
【請求項９】
公開するために前記音楽所有者のアカウント内の１つ以上の前記歌を識別し、識別された前記歌を公開チャネルを介してストリーミングさせる、前記音楽所有者のためのパブリッシングモジュールを含む、請求項１に記載のデジタル保管庫。
【請求項１０】
著作権登録のための前記音楽所有者のアカウント内の１つ以上の前記歌を識別し、識別された前記歌について著作権登録の申請を自動的に提出させる、前記音楽所有者のための著作権登録モジュールを含む、請求項１に記載のデジタル保管庫。
【請求項１１】
前記デジタル保管庫内の前記歌と一致する歌を前記デジタル保管庫の外部で自動的に検索する侵害追跡モジュールを含む、請求項１に記載のデジタル保管庫。
【請求項１２】
前記共有モジュールは、前記デジタル保管庫内の前記歌を聴くように前記レビューユーザに招待するためのリンクまたは認証情報を前記音楽所有者に提供する、請求項１に記載のデジタル保管庫。
【請求項１３】
前記ストリーミング制限は、それぞれの前記レビューユーザによるそれぞれのストリームの最大再生回数を含む、請求項１に記載のデジタル保管庫。
【請求項１４】
ビデオおよび音楽と同様の他のストリーミングメディアに適用される、請求項１に記載のデジタル保管庫。
【請求項１５】
前記モジュールをソフトウェアとして格納する不揮発性機械可読媒体を含む、請求項１に記載のデジタル保管庫。
【請求項１６】
前記レビューユーザが前記デジタル保管庫に入った正確な時間および日付を記録／追跡し、どの特定の歌を聴いたか、および前記音楽所有者が前記デジタル保管庫に保管した特定の元の音楽の一部のそれぞれについて、レビューの期間がどのようなものであったかを示すそのアクティビティのタイムスタンプをレビュアーによって提供するアクティビティモジュールをさらに備える請求項１に記載のデジタル保管庫。
【請求項１７】
前記アクティビティモジュールは、リスナーのＩＰアドレス、匿名または非匿名、または他の識別子を捕捉または受信する、請求項１６に記載のデジタル保管庫。
【請求項１８】
歌用のデジタル保管庫であって、前記歌は、デジタル形式の音楽からなり、前記デジタル保管庫は、
複数の音楽所有者の前記デジタル保管庫と共にアカウントを作成するアカウント管理モジュールと、
それぞれのアカウントへの安全なアクセスを前記音楽所有者に提供し、前記音楽所有者のアカウントへの不正アクセスを防止するためのアクセス制御モジュールと、
前記音楽所有者のそれぞれのアカウントへ歌をアップロードし、各歌の受信の前記デジタル保管庫にタイムスタンプを自動的に記録する、前記音楽所有者のための歌アップロードモジュールと、
１人以上のレビューユーザを識別し、歌毎に割り当てられた前記レビューユーザに対するストリーミング制限を設定する、前記音楽所有者のための共有モジュールと、
前記音楽所有者がアクセスを与えた前記デジタル保管庫内の前記歌をストリーミングする、前記レビューユーザのためのリスニングモジュールであって、前記レビューユーザによるストリーミングは、前記共有モジュールにおいて前記音楽所有者によって設定されたストリーミング制限に従って前記リスニングモジュールによって制限され、前記リスニングモジュールは、各ストリームについて、ストリームを要求する前記レビューユーザの識別子、ストリームの開始のタイムスタンプ、ストリームの停止のタイムスタンプまたはストリームの時間長のいずれかを記録し、前記レビューユーザがストリーム内でジャンプバックまたはジャンプアヘッドを要求する、前記リスニングモジュールと、
前記音楽所有者のそれぞれのアカウントに格納された前記歌にメタデータを提供し、前記メタデータは、歌の名称を含み、それぞれの歌の名称およびそれぞれの前記レビューユーザ、ストリームの開始のタイムスタンプ、ストリームの時間の長さ、および許可された前記レビューユーザに対するストリームの総数を識別することを含む、前記レビューユーザによるそれぞれの歌のストリームのレポートを前記音楽所有者に報告するための歌管理モジュールと、
特定のパブリックストリーミングチャネルを公開および識別するために、前記音楽所有者のアカウント内の１つまたは複数の前記歌を識別する、前記音楽所有者のためのパブリッシングモジュールであって、前記パブリックストリーミングチャネルは、オンラインストリーミングサービスまたは地上ラジオ局またはケーブル音楽のうちの少なくとも１つを含む、パブリッシングモジュールと、
を含む複数のモジュールを備え、
前記パブリッシングモジュールは、さらに、識別された前記歌を、識別された前記パブリックストリーミングチャネルを通じて自動的にストリーミングさせ、識別された前記特定のパブリックストリーミングチャネルを通じてストリーミングするために、識別された前記歌の各ストリームについてのタイムスタンプおよびチャネル識別子を自動的に取得させる、
デジタル保管庫。
【請求項１９】
前記歌管理モジュールは、前記ストリームが始まる場合に、１つの再生を定義する、請求項１８に記載のデジタル保管庫。
【請求項２０】
前記歌管理モジュールは、前記ストリームが所定の期間継続した場合に、１つの再生をさらに定義する、請求項１９に記載のデジタル保管庫。
【請求項２１】
前記歌管理モジュールは、前記歌の長さを各歌のメタデータとして自動的に作成および格納する、請求項１８に記載のデジタル保管庫。
【請求項２２】
前記歌管理モジュールは、前記歌の少なくともいくつかのメタデータとして、アルバム名、演奏アーティスト、プロデューサ名、アレンジャー名、音楽作者名、歌詞作者名、ジャンル、サブジャンルのうちの１つまたは複数を格納する、請求項１８に記載のデジタル保管庫。
【請求項２３】
前記歌管理モジュールは、前記歌の少なくともいくつかについての関連ファイルを格納する、請求項１８に記載のデジタル保管庫。
【請求項２４】
前記関連ファイルは、それぞれの前記歌を含む画像およびビデオを含む、請求項２３に記載のデジタル保管庫。
【請求項２５】
著作権登録のための前記音楽所有者のアカウント内の１つ以上の前記歌を識別し、識別された前記歌に対して前記著作権登録の申請を自動的に提出させる、前記音楽所有者のための著作権登録モジュールを含む、請求項１８に記載のデジタル保管庫。
【請求項２６】
前記デジタル保管庫内の前記歌と一致する歌を前記デジタル保管庫の外部で自動的に検索する侵害追跡モジュールを含む、請求項１８に記載のデジタル保管庫。
【請求項２７】
前記共有モジュールは、前記デジタル保管庫内の歌を聴くように前記レビューユーザに招待するためのリンクまたは認証情報を前記音楽所有者に提供する、請求項１８に記載のデジタル保管庫。
【請求項２８】
前記ストリーミング制限は、それぞれの前記レビューユーザによるそれぞれのストリームの最大再生回数を含む、請求項１８に記載のデジタル保管庫。
【請求項２９】
ビデオおよび音楽と同様の他のストリーミングメディアに適用される、請求項１８に記載のデジタル保管庫。
【請求項３０】
前記モジュールをソフトウェアとして格納する不揮発性機械可読媒体を含む、請求項１８に記載のデジタル保管庫。
【請求項３１】
前記レビューユーザが前記デジタル保管庫に入った正確な時間および日付を記録／追跡し、どの特定の歌を聴いたか、および前記音楽所有者が前記デジタル保管庫に保管した特定の元の音楽の一部のそれぞれについて、レビューの期間がどのようなものであったかを示すそのアクティビティのタイムスタンプをレビュアーによって提供するアクティビティモジュールをさらに備える請求項１８に記載のデジタル保管庫。
【請求項３２】
前記アクティビティモジュールは、リスナーのＩＰアドレス、匿名または非匿名、または他の識別子を捕捉または受信する、請求項３１に記載のデジタル保管庫。
【外国語明細書】
2019101422000001.pdf